(57)【要約】      （修正有）【課題】試料全面を短時間で走査し，試料に熱ダメージを与えることなく微小な欠陥を検出できる欠陥検査装置を提供する。【解決手段】試料上にパルス状のレーザ照明を行う照明光学系と、レーザ照明された該試料からの反射光または散乱光を検出する検出光学系と、該反射光または散乱光に基づく出力信号を処理して該試料上の欠陥を検出する信号処理系と、を備える欠陥検査装置であって、前記照明光学系は、パルス毎に照明位置を切り替える照明位置切替系を備え、信号処理系は、照明光学系によるレーザ照明により発生する該試料の表面の異なる位置に照明された複数の照明光により発生する反射光または散乱光に基づき欠陥候補を検出する欠陥候補検出部と、該欠陥候補検出部により検出された該欠陥候補のうち異なるタイミングで検出した欠陥候補を用いて、近接した欠陥候補の情報をマージして再度欠陥判定を行う欠陥判定部と、を備えることを特徴とする。【選択図】図１Ａ
2015028457.tif 000002
【特許請求の範囲】
【請求項１】
レーザ光源からレーザ光を射出し試料上にパルス状のレーザ照明を行う照明光学系と、
前記照明光学系によりレーザ照明された該試料からの反射光また散乱光を検出する検出光学系と、
前記検出光学系により検出された該反射光または散乱光に基づく出力信号を処理して該試料上の欠陥を検出する信号処理系と、を備える欠陥検査装置であって、
前記照明光学系は、パルス毎に照明位置を切り替える照明位置切替系を備え、
前記信号処理系は、前記照明光学系によるレーザ照明により発生する該試料の表面の異なる位置に照明された複数の照明光により発生する反射光または散乱光に基づき欠陥候補を検出する欠陥候補検出部と、該欠陥候補検出部により検出された該欠陥候補のうち異なるタイミングで検出した欠陥候補を用いて、近接した欠陥候補の情報をマージして再度欠陥判定を行う欠陥判定部と、を備えることを特徴とする欠陥検査装置。
【請求項２】
請求項１記載の欠陥検査装置において、
前記照明光学系は、前記レーザ光源から出力された発光パルスを異なる偏光の光に分離して光路を分岐し、該分離した発光パルスを近接しかつ異なる偏光状態の１つの光路に戻し、該近接した状態の偏光の異なるパルス光を同一の偏光に変換することを特徴とする欠陥検査装置。
【請求項３】
請求項１記載の欠陥検査装置において
前記照明光学系は、該パルス状のレーザ照明に同期して偏光方向を変化させ、偏光状態を切り替え、光路を分岐する偏光切替部を備えることを特徴とする欠陥検査装置。
【請求項４】
請求項１記載の欠陥検査装置であって、
さらに、前記レーザ光源の発光信号をモニタする発光タイミングモニタと、
前記発光タイミングモニタへ入力される発光信号にもとづき、該発光信号の発光間隔よりも短い間隔の同期信号を生成するタイミング信号発生部と、を備え、
前記信号処理系は、前記タイミング信号発生部にて生成する同期信号と同期しては前記検出光学系にて検出した反射光または散乱光に基づく信号をサンプリングすることを特徴とする欠陥検査装置。
【請求項５】
請求項３記載の欠陥検査装置であって、
さらに、前記レーザ光源の発光信号をモニタする発光タイミングモニタと、
前記発光タイミングモニタへ入力される発光信号にもとづき、該発光信号の発光間隔よりも長い間隔の同期信号を生成するタイミング信号発生部と、を備え、
前記偏光切替部は、前記タイミング信号発生部にて生成する同期信号に同期して偏光を切り替えることを特徴とする欠陥検査装置。
【請求項６】
請求項１記載の欠陥検査装置は、
前記照明光学系により照明した該試料の高さを検出する高さ検出系と、
前記照明光学系により照明されたパルス状のレーザ照明の位置を、前記高さ検出手段にて検出した高さに基づき推定するレーザ照明位置変動計測系と、を備え、
前記欠陥判定部は、前記レーザ照明位置変動計測系により推定された照明位置に基づき、異なるタイミングで検出した近接した欠陥候補の反射光または散乱光の対応付けを行うことを特徴とする欠陥検査装置。
【請求項７】
請求項１記載の欠陥検査装置は、
前記照明光学系にて異なる光路を介して照明し、前記検出光学系により検出した反射光または散乱光に基づく信号から検出した欠陥候補について、予め期待する欠陥候補位置に対する距離に基づき該欠陥候補をグルーピングし、グルーピングした欠陥候補数により各光路を介して照明したレーザ照明の照明位置を求め、前記欠陥判定部に入力された散乱光データのアライメントを行うことを特徴とする欠陥検査装置。
【請求項８】
請求項１記載の欠陥検査装置であって、
前記照明光学系は、パルス毎に切り替わる照明光の光量を非均一に照明し、
前記欠陥判定部は、前記検出光学系に備えられたセンサにおいて飽和した反射光または散乱光に基づく信号を認識し、欠陥の寸法または欠陥信号を算出することを特徴とする欠陥検査装置。
【請求項９】
レーザ光源からレーザ光を射出し試料上にパルス状のレーザ照明を行う照明工程と、
前記照明工程によりレーザ照明された該試料からの反射光また散乱光を検出する検出工程と、
前記検出工程により検出された該反射光または散乱光に基づく出力信号を処理して該試料上の欠陥を検出する信号処理工程と、を備える欠陥検査方法であって、
前記照明工程は、パルス毎に照明位置を切り替える照明位置切替工程を備え、
前記信号処理工程は、前記照明工程によるレーザ照明により発生する該試料の表面の異なる位置に照明された複数の照明光により発生する反射光または散乱光に基づき欠陥候補を検出する欠陥候補検出工程と、該欠陥候補検出工程により検出された該欠陥候補のうち異なるタイミングで検出した欠陥候補のうち、近接した欠陥候補の情報をマージして再度欠陥判定を行う欠陥判定工程と、を備えることを特徴とする欠陥検査方法。
【請求項１０】
請求項９記載の欠陥検査方法において、
前記照明光学系は、前記レーザ光源から出力された発光パルスを異なる偏光の光に分離して光路を分岐し、該分離した発光パルスを近接しかつ異なる偏光状態の１つの光路に戻し、該近接した状態の偏光の異なるパルス光を同一の偏光に変換することを特徴とする欠陥検査方法。
【請求項１１】
請求項９記載の欠陥検査方法において
前記照明光学工程では、該パルス状のレーザ照明に同期して偏光方向を変化させ、偏光状態を切り替え、光路を分岐する偏光切替工程を備えることを特徴とする欠陥検査方法。
【請求項１２】
請求項９記載の欠陥検査方法であって、
さらに、前記レーザ光源の発光信号をモニタする発光タイミングモニタ工程と、
前記発光タイミングモニタ工程へ入力される発光信号にもとづき、該発光信号の発光間隔よりも短い間隔の同期信号を生成するタイミング信号発生工程と、を備え、
前記信号処理工程は、前記タイミング信号発生工程にて生成する同期信号と同期して前記検出工程にて検出した反射光または散乱光に基づく信号をサンプリングすることを特徴とする欠陥検査方法。
【請求項１３】
請求項１１記載の欠陥検査方法であって、
さらに、前記レーザ光源の発光信号をモニタする発光タイミングモニタ工程と、
前記発光タイミングモニタ工程へ入力される発光信号にもとづき、該発光信号の発光間隔よりも長い間隔の同期信号を生成するタイミング信号発生工程と、を備え、
前記偏光切替工程は、前記タイミング信号発生工程にて生成する同期信号に同期して偏光を切り替えることを特徴とする欠陥検査方法。
【請求項１４】
請求項９記載の欠陥検査方法は、
前記照明工程により照明した該試料の高さを検出する高さ検出工程と、
前記照明工程により照明されたパルス状のレーザ照明の位置を、前記高さ検出工程にて検出した高さに基づき推定するレーザ照明位置変動計測工程と、を備え、
前記欠陥判定工程は、前記レーザ照明位置変動計測工程により推定された照明位置に基づき、異なるタイミングで検出した近接した欠陥候補の反射光または散乱光の対応付けを行うことを特徴とする欠陥検査方法。
【請求項１５】
請求項９記載の欠陥検査方法は、
前記照明工程にて異なる光路を介して照明し、前記検出工程により検出した反射光または散乱光に基づく信号から検出した欠陥候補について、予め期待する欠陥候補位置に対する距離に基づき該欠陥候補をグルーピングし、グルーピングした欠陥候補数により各光路を介して照明したレーザ照明の照明位置を求め、前記欠陥判定部に入力された散乱光データのアライメントを行うことを特徴とする欠陥検査方法。
【請求項１６】
請求項９記載の欠陥検査方法であって、
前記照明工程は、パルス毎に切り替わる照明光の光量を非均一に照明し、
前記欠陥判定工程は、前記検出工程に備えられたセンサにおいて飽和した反射光または散乱光に基づく信号を認識し、欠陥の寸法または欠陥信号を算出することを特徴とする欠陥検査方法。
【発明の詳細な説明】
【技術分野】
【０００１】
本発明は欠陥検査装置および欠陥検査方法に関する。
【背景技術】
【０００２】
半導体基板や薄膜基板等の製造ラインにおいて，製品の歩留まりを維持・向上するために，半導体基板や薄膜基板等の表面に存在する欠陥の検査が行われている。欠陥検査の従来技術としては短波長レーザ照明において，高出力レーザではパルス発光レーザが多く，この瞬間的な発光による試料の急激な温度上昇による，試料の熱ダメージを低減させるため，光路を分割，その光路長の違いを利用してパルスを分割することで試料のダメージを低減する手法（特許文献１）が述べられている。
【先行技術文献】
【特許文献】
【０００３】
【特許文献１】特開２０１１−２５２８４１号公報
【発明の概要】
【発明が解決しようとする課題】
【０００４】
半導体等の製造工程で用いられる欠陥検査には，微小な欠陥を検出すること，検出した欠陥の寸法を高精度に計測すること，試料を非破壊で（あるいは試料を変質させること無く）検査すること，同一の試料を検査した場合に常に一定の検査結果（検出欠陥の個数，位置，寸法，欠陥種）が得られること，一定時間内に多数の試料を検査することなどが求められる。
【０００５】
特許文献１は、ビームスポットの照明効率をあげることができ、調整難易度を低減することが可能ではあるが、やはり、小ビームスポットを得ることが困難である。また、パルスレーザにより発生する瞬間的な温度上昇を抑制することはできるものの、ビームが照射されている期間の平均的な温度上昇を抑制することは困難である。
【０００６】
本発明の目的は、試料全面を短時間で走査し，試料に熱ダメージを与えることなく微小な欠陥を検出することができる欠陥検査方法及びその装置を提供することにある。
【課題を解決するための手段】
【０００７】
レーザ光源からレーザ光を射出し試料上にパルス状のレーザ照明を行う照明光学系と、前記照明光学系によりレーザ照明された該試料からの反射光また散乱光を検出する検出光学系と、前記検出光学系により検出された該反射光または散乱光に基づく出力信号を処理して該試料上の欠陥を検出する信号処理系と、を備える欠陥検査装置であって、前記照明光学系は、パルス毎に照明位置を切り替える照明位置切替系を備え、前記信号処理系は、前記照明光学系によるレーザ照明により発生する該試料の表面の異なる位置に照明された複数の照明光により発生する反射光または散乱光に基づき欠陥候補を検出する欠陥候補検出部と、該欠陥候補検出部により検出された該欠陥候補のうち異なるタイミングで検出した欠陥候補を用いて、近接した欠陥候補の情報をマージして再度欠陥判定を行う欠陥判定部と、を備えることを特徴とする欠陥検査装置である。
【発明の効果】
【０００８】
本発明によれば，試料全面を短時間で走査し，試料に熱ダメージを与えることなく，微小な欠陥を検出することができる欠陥検査装置および欠陥検査方法を提供することが可能である。
【図面の簡単な説明】
【０００９】
【図１Ａ】本発明の実施形態に係る欠陥検査装置の全体概略構成を示すブロック図である。
【図１Ｂ】アッテネータの構成を示すブロック図である。
【図１Ｃ】信号処理部の構成を示すブロック図である。
【図１Ｄ】集光制御部の構成を示すブロック図である。
【図２】本発明の実施例に係る検出部の配置および検出方向を示す検出部のブロック図である。
【図３Ａ】パルス分割部の構成を示すブロック図である。
【図３Ｂ】パルス分割部の光路内のビームの一方のみの偏光を回転させるユニットの概念図である。
【図３Ｃ】パルス分割部の構成を示すブロック図である。
【図３Ｄ】パルス分割部の光路内のビームの一方のみの偏光を回転させるユニットの概念図である。
【図３Ｅ】パルス分割部の構成を示すブロック図である。
【図４Ａ】本発明の実施例に係る試料上の照明パターンである。
【図４Ｂ】本発明の実施例に係る試料を回転とともに並進させた場合の検査位置の軌跡である。
【図５Ａ】本発明の実施例に係るタイミング発生回路のブロック図である。
【図５Ｂ】図５Aのタイミング発生回路ブロックの入力と出力のタイミングチャートである。
【図６】本発明の実施例に係る後処理部のブロック図である。
【図７】異なる光路を介した照明によって得られた欠陥マップに基づく照明位置のずれ量算出部の説明図である。
【図８】本発明の実施例に係る検出部の構成を示すブロック図である。
【図９】本発明の実施例に係るアナログ処理部の構成を示すブロック図である。
【図１０】本発明の実施例に係るデジタル処理部の構成を示すブロック図である。
【図１１】本発明の実施例に係るデジタル処理部の構成を示すブロック図である。
【図１２】本発明の実施例に係る、分岐光路からの照明による欠陥信号強度プロファイルとその統合方法の説明図である。
【図１３Ａ】本発明の実施例に係る欠陥検査装置の全体概略構成を示すブロック図である。
【図１３Ｂ】本発明の実施例に係る欠陥検査装置の全体概略構成を示すブロック図である。
【図１４】図１３Ｂの構成例における基板面高さ検出方式のブロック図である。
【発明を実施するための形態】
【００１０】
本発明の実施形態の概略構成を図１で説明する。
【００１１】
図１Ａは、本発明の実施形態に係る欠陥検査装置の全体概略構成を示すブロック図である。
【００１２】
照明部１０１，検出部１０２，試料Ｗを載置して回転して回転中心軸に直角な方向に可能なステージ１０３，信号処理部１０５，後処理部１０６、制御部５３，表示部５４，入力部５５を備える。
【００１３】
照明部１０１はレーザ光源２，アッテネータ３，出射光調整部４，パルス分割部８，光束拡大部５，偏光制御部６，照明集光制御部７を備える。レーザ光源２はパルス発振あるいは擬似連続発振レーザであり，典型的には発光時間は15ps以下であり，10ns毎の間隔でパルス状の光が出力される。また，レーザ光源２からはコリメートされたレーザ光が照射される。発射される光がコリメートされた光でないレーザ光源の場合，別途コリメータレンズを設け，照明をコリメートする。
【００１４】
レーザ光源２から射出されたレーザ光ビームは，アッテネータ３で所望のビーム強度に調整され，出射光調整部４で所望のビーム位置，ビーム進行方向に調整され，パルス分割部８でパルス状のレーザ光の１つのパルスを時分割された複数のパルスに分割する。この光束は，光束拡大部５で光束を拡大するとともにパルス分割部で分割された各パルスの光束の照射方向の角度ずれを低減した後，偏光制御部６で所望の偏光状態に調整され，照明集光制御部７で所望の強度分布に調整され，試料Ｗの検査対象領域に照明される。
【００１５】
本発明の特徴の一つであるパルス分割部８は，各時分割されたパルス光の光軸を適切に制御し、照明集光制御部７で集光させたのち，試料Ｗ上に微小なスポットを異なる位置に形成する。パルス分割部は、分割されたパルスがそれぞれ角度の差をもつように調整される。典型的には、試料の半径方向に照明スポットが分離されて照明するようにする。これを回転方向に分割して照明しても良い。さらに、照明スポットは分離せずに，ビームプロファイルが重なりあうように配置しても良い。試料Ｗはステージ１０３によって高速に回転するため、半径方向に分離されて照明されると照明スポット位置の温度上昇を抑制することができるが、重なりあうようにするとこの効果が得られにくくなる。
【００１６】
図１Ｄは集光制御部の構成を示すブロック図、図１Ｂはアッテネータの構成を示すブロック図である。
【００１７】
試料上の照明形状は，熱に対するダメージを最小にするにはアスペクト比の高い矩形形状にすることが一般的である。このため，照明集光制御部７としては典型的には２組のアナモフィックプリズム７１及び７２で照明光束を整形したのち，集光レンズ７３で照明する。また，集光レンズ７３の代わりに回折光学素子を用いても良い。
【００１８】
照明部１０１の光路中の反射ミラーの位置と角度により、試料表面に対する照明光の入射角（試料表面の法線方向に対する傾き角）が決められる。照明光の入射角は、微小な欠陥の検出に適した角度に設定される。照明入射角が大きいほど，すなわち照明仰角（試料表面と照明光軸との成す角）が小さいほど，試料表面上の微小異物からの散乱光に対してノイズとなる試料表面の微小凹凸からの散乱光（ヘイズと呼ばれる）が弱まるため，微小な欠陥の検出に適する。このため，試料表面の微小凹凸らの散乱光が微小欠陥検出の妨げとなる場合には，照明光の入射角は７５度以上（仰角１５度以下）に設定する。
【００１９】
一方，斜入射照明においては、照明入射角が小さいほど微小異物からの散乱光の絶対量が大きくなるため，欠陥からの散乱光量の不足が微小欠陥検出の妨げとなる場合には，照明光の入射角は６０度以上７５度以下（仰角１５度以上３０度以下）に設定される。また，斜入射照明を行う場合，照明部１０１の偏光制御部６における偏光制御により，照明の偏光をＰ偏光とすることで，その他の偏光と比べて試料表面上の欠陥からの散乱光が増加する。
【００２０】
図示していないミラーの駆動手段により、ミラーを照明部１０１の光路中に挿入することにより，照明光路が変更され，試料面に垂直な方向から照明光が照射される（垂直照明）。このとき，照明集光制御部７ｖにより，試料面上の照明強度分布は斜入射照明と同様に制御される。試料面の凹み状の欠陥（研磨キズや結晶材料における結晶欠陥）からの散乱光を得るには，試料表面に実質的に垂直に入射する垂直照明が適する。
【００２１】
レーザ光源２としては，試料表面近傍の微小な欠陥を検出するには，試料内部に浸透しづらい波長として，短波長（波長３５５ｎｍ以下）の紫外または真空紫外のレーザビームを発振し，かつ出力２Ｗ以上の高出力のものが用いられる。出射ビーム径は１ｍｍ程度である。試料内部の欠陥を検出するには，試料内部に浸透しやすい波長として，可視あるいは赤外のレーザビームを発振するものが用いられる。
【００２２】
図１Ｂに示すように、アッテネータ３は，第一の偏光板３１と，照明光の光軸周りに回転可能な１／２波長板３２と，第二の偏光板３３とを備える。アッテネータ３に入射した光は，第一の偏光板３１により直線偏光に変換され，１／２波長板３２の遅相軸方位角に応じて偏光方向が任意の方向に回転され，第二の偏光板３３を通過する。１／２波長板３２の方位角を制御することで，光強度が任意の比率で減光される。アッテネータ３に入射する光の直線偏光度が十分高い場合は第一の偏光板３１は必ずしも必要ない。アッテネータ３は入力信号と減光率との関係が事前に較正されたものを用いる。アッテネータ３として，グラデーション濃度分布を持つＮＤフィルタを用いることも可能である。
【００２３】
出射光調整部４は複数枚の反射ミラーを備える。ここでは二枚の反射ミラー４１と４２とで構成した場合の実施例を説明する。ここで，三次元の直交座標系（ＸＹＺ座標）を仮に定義し，反射ミラーへの入射光が＋Ｘ方向に進行しているものと仮定する。第一の反射ミラー４１は入射光を＋Ｙ方向に偏向するよう設置され（ＸＹ面内での入射・反射），第二の反射ミラー４２は第一の反射ミラー４１で反射した光を＋Ｚ方向に偏向するよう設置される（ＹＺ面内での入射・反射）。各々の反射ミラー４１と４２とは平行移動とあおり角調整により，出射調整部４から出射する光の位置，進行方向（角度）が調整される。前記のように，第一の反射ミラー４１の入射・反射面（ＸＹ面）と第二の反射ミラー４２の入射・反射面（ＹＺ面）が直交するような配置とすることで，出射調整部４から出射する光（＋Ｚ方向に進行）のＸＺ面内の位置，角度調整と，ＹＺ面内の位置，角度調整とを独立に行うことができる。
【００２４】
発光タイミングモニタ手段２２は、数ns程度以下の応答特性をもつフォトダイオードや光電子増倍管を用いる。
【００２５】
タイミング信号発生部２３は、フォトダイオードの出力信号と同期して、分周、あるいは逓倍したパルスを生成する。逓倍数はパルス分割部の分割数と線形の対応関係になる。分周数はパルス分割部に備えた図３Eで後述する３３０の偏光切り替え手段の偏光の状態数と等しくする。
【００２６】
図３Ｅは、パルス分割部の構成を示すブロック図である。分周した信号は、パルス分割部８に伝送し偏光の切り替えに用い、逓倍した信号は信号処理部１０５に伝送し、アナログ信号のサンプリングに用いる。信号処理部１０５は欠陥候補を検出し、その欠陥候補評価値と検出座標を算出する。本願では、パルス分割部８で分割したパルス毎に、試料上の照明位置が異なり、検査時の環境、たとえば温度によるミラーの膨張や大気の屈折率の変化、レーザ光源２の発光点の微動によりこの位置は変化する。そこで、予め、異なる光路を通って照明されるパルス毎の照明の相対ずれを検査前に計測しておき、それぞれのパルス毎に位置ずれ量を補正して欠陥位置を算出する。
【００２７】
図８は、本発明の実施例に係る検出部の構成を示すブロック図である。
【００２８】
検出部１０２は，照明領域２０から発する複数の方向の散乱光を検出するよう，複数配置される。検出部１０２の試料Ｗおよび照明領域２０に対する配置を図８を用いて説明する。
【００２９】
図８（ａ）に検出部１０２の配置の側面図を示す。照明領域２０は図８(ａ)の紙面に対して垂直な方向に長い形状を有している。試料Ｗの法線に対して，検出部１０２による検出方向（検出開口の中心方向）のなす角を，検出天頂角と定義する。検出部１０２は，検出天頂角が４５度以下の高角検出部１０２ｈと，検出天頂角が４５度以上の低角検出部１０２ｌを備えて構成される。高角検出部１０２ｈ，低角検出部１０２ｌ各々は，各々の検出天頂角において多方位に散乱する散乱光をカバーするよう，複数の検出部を備える。
【００３０】
図８（ｂ）に，低角検出部１０２ｌの配置の平面図を示す。照明領域２０は矢印で示した斜入射照明進行方向に沿って長い形状をしている。試料Ｗの表面と平行な平面内において，斜入射照明の進行方向と検出方向とのなす角を検出方位角と定義する。低角検出部１０２は，低角前方検出部１０２ｆ，低角側方検出部１０２ｓ，低角後方検出部１０２ｂ，およびそれらと照明入射面に関して対称な位置にある低角前方検出部１０２ｆ’，低角側方検出部１０２ｓ’，低角後方検出部１０２ｂ’を備える。低角前方検出部１０２ｆは検出方位角が０度以上６０度以下，低角側方検出部１０２ｓは検出方位角が６０度以上１２０度以下，低角後方検出部１０２ｂは検出方位角が１２０度以上１８０度以下に設置される。
【００３１】
図８（ｃ）に，高角検出部１０２ｈの配置の平面図を示す。高角検出部１０２は，高角前方検出部１０２ｆ，高角側方検出部１０２ｓ，高角後方検出部１０２ｂ，および高角側方検出部１０２ｓと照明入射面に関して対称な位置にある高角側方検出部１０２ｓ’を備える。高角前方検出部１０２ｆは検出方位角が０度以上４５度以下，高角側方検出部１０２ｓは検出方位角が４５度以上１３５度以下，高角後方検出部１０２ｂは検出方位角が１３５度以上１８０度以下に設置される。
【００３２】
図２は、本発明の実施例に係る検出部の配置および検出方向を示す検出部のブロック図である。
【００３３】
検出部１０２の具体的な構成を図２を用いて説明する。図２(a)は位置情報の検出ができないポイントセンサー２０４を用いた場合の実施例，図２(b)はラインセンサー（複数画素センサ）２０８を用いた実施例である。
【００３４】
照明領域２０から発生する散乱光を対物レンズ２０１によって集光し，偏光フィルタ２０２を通過させた後，結像レンズ２０３によってセンサ２０４の受光面に導かれ，検出される。散乱光を効率良く検出するため，対物レンズ２０１の検出ＮＡは０．３以上である。低角度検出部の場合，対物レンズ２０１の下端が試料面Ｗに干渉しないよう，必要に応じて対物レンズの下端を切り欠く。偏光フィルタ２０２は偏光板あるいは偏光ビームスプリッタからなり，任意の方向の直線偏光成分をカットするよう設置される。偏光板として，透過率８０％以上のワイヤグリッド偏光板などが用いられる。楕円偏光を含む任意の偏光成分をカットする場合は，波長板と偏光板からなる偏光フィルタ２０２を設置する。
【００３５】
ポイントセンサ２０４，複数画素センサ２０８は、高感度検出を行うため，量子効率が高く（３０％以上の），光電変換後の電子を電気的に増幅可能なもの，また，高速化のため，複数がその信号を並列して読み出し可能なもの，また，検出ダイナミックレンジ確保のため，検出感度（電気的な増幅のゲイン）が電気的手段などにより短時間で容易に変更可能であるもの，が望ましい。ポイントセンサー２０４は光電子増倍管やアバランシェフォトダイオードが用い，複数の画素センサーより構成されるセンサー２０８としてはマルチアノード光電子増倍管，アバランシェフォトダイオードアレイ，信号の並列読み出しが可能なリニアＥＭＣＣＤ（Ｅｌｅｃｔｒｏｎ  Ｍｕｌｔｉｐｌｙｉｎｇ  ＣＣＤ），信号の並列読み出しが可能なリニアＥＢＣＣＤ（Ｅｌｅｃｔｒｏｎ  Ｂｏｍｂａｒｄｍｅｎｔ  ＣＣＤ）を用いる。
【００３６】
対物レンズ２０１および結像レンズ２０３によって，試料面の像が試料面共役面２０５に結像される。試料面に対して傾斜した結像する。このため，走査方向Ｓ１に関して，像高の大きい位置にある物体はデフォーカスにより複数画素センサ２０５の受光面に像を結ばずにボケるが，走査方向Ｓ１は照明領域２０の寸法が短いため，像高の大きい位置にある物体は検出に影響を与えない。
【００３７】
図２（ｂ）に，センサーとして複数画素センサーを用いた場合の構成を示す。照明領域２０から発生する散乱光を対物レンズ２０１によって集光し，偏光フィルタ２０２通過させた後，結像レンズ２０３によって，試料面と共役な面に設置された回折格子２０６上に試料面の像（中間像）が結像される。回折格子２０６上に形成された試料面の像は，結像系２０７によって複数画素センサ２０８の受光面上に投影され，検出される。複数画素センサ２０８は，一方向に長い照明領域２０の形状に合わせ，画素の配列方向が照明領域２０の像の長手方向に一致するよう，試料面に共役な面内に設置される。回折格子２０６は，結像レンズ２０３によって導かれ中間像を形成する光を回折格子２０６の表面の法線方向に回折させるため，結像レンズ２０３によって導かれ中間像を形成する光の光軸に沿った入射光のＮ次回折光が回折格子２０６の表面の法線方向に向かうよう，回折格子形状が形成されたものを用いる。回折効率を高めるため，ブレーズ回折格子が用いられる。なお，検出方位角９０度の低角および高角の側方検出部１０２ｌｓ，１０２ｈｓ(図８（ｂ）及び（ｃ）参照)に関しては像高が小さく抑えられるため，回折格子２０６，結像系２０７を省いて回折格子２０６の位置に複数画素センサー２０８を配置しても良い。
【００３８】
以上の構成をとり試料面に共役な面に複数画素センサ２０８を設置することで，試料面上のＳ１方向についてもピントのずれを抑えて広い範囲で有効視野を確保することができ，かつ光量ロスを少なく散乱光を検出することができる。
【００３９】
パルス分割部８を，図３Ａ〜３Ｅを用いて説明する。
【００４０】
図３Ａはパルス分割部の構成を示すブロック図、図３Ｂはパルス分割部の光路内のビームの一方のみの偏光を回転させるユニットの概念図、図３Ｃはパルス分割部の光路内のビームの一方のみの偏光を回転させるユニットの概念図、図３Ｄはパルス分割部の光路内のビームの一方のみの偏光を回転させるユニットの概念図、図３Ｅはパルス分割部の構成を示すブロック図である。
【００４１】
パルス分割部は、準密閉構造容器に収め，不活性ガスで充填しておくなどして、異物が付着しない環境に配置する。コリメート光３００は、出射光調整部４から出射された照明光であり、直線偏光である。照明光３００は，１／２波長板３０１により，偏光方向を４５度回転させると偏光ビームスプリッタ３０２によって，光がほぼ同一の光量で２つの光路に分岐する。なお、１／２波長板３０１は、回転制御手段（図示せず）により偏光の回転角度を制御可能にし、偏光ビームスプリッタ３０２で分岐する光量の比を制御できるようにする。ミラー３０４と３０５を介して偏光ビームスプリッタ３０７に入射される光と，偏光ビームスプリッタ３０２から直接偏光ビームスプリッタ３０７に入射される光との間で光路差が発生し，パルスの試料面に到達する時間が変化する。
【００４２】
本実施例では、斜方からの照明と上方からの照明が可能であるが、照明を斜方から入射した場合には、異なる光路を通過した照明光間で照明集光制御部７と試料W間の距離が変化する。そこで、異なる位置に照明されても、２つの光路を通過した光がともにW上で集光されるように、焦点位置補正手段３０６を設けている。偏光ビームスプリッタ３０７は、分岐された光路を再度同一の光路に戻す。同一の光路に戻った光はそれぞれ偏光方向が９０度異なっている。一般に試料面上の微小異物はP偏光照明の方が大きな散乱光量を得ることが可能であり、また、別の種類の欠陥、特に散乱光が試料面の法線方向に散乱しやすい欠陥では、S偏光照明の方が強い散乱強度を得られる場合もある。検出すべき欠陥種類が決定されていた場合には、いずれの光路を通った光も偏光方向を揃えておくと、後段で平均化処理等により感度を向上させることができる。偏光制御手段３０３は、それぞれの光路を通った光のうちいずれかに対してのみ偏光方向を変え、偏光方向を揃えられるようにする。図３Bを用いて偏光制御手段３０３の構成を示す。偏光制御手段３０３は照明光が透過する物質によって製造されており、領域３５０は１／２波長板と同等の機能をもつ。１／２波長板は領域３５０を通過する光の偏光方向に対して遅相軸が４５度になるように設定する。これにより、領域３５０を通過する光は偏光方向が９０度回転し、ミラー３０４，３０５を経由した光と偏光ビームスプリッタ３０２から直接入射した光の両方を同じ偏光方向に揃えることが可能になる。偏光制御手段３０３は、光路から着脱を可能にする制御機構（図示せず）を備える。多様な欠陥種に対応する場合には、偏光制御手段３０３を外し、P偏光照明、S偏光照明の両方を交互に試料に照射する。
【００４３】
ミラー３０９は、図示していない制御機構により光路への挿入および取り外しの制御が可能である。レンズ３１０によりＣＣＤカメラ３１１での照明光の撮影が可能である。
【００４４】
角度制御機構３１２および３１３は、それぞれミラー３０４，３０５の角度を制御する機構であり、ＣＣＤカメラ３１１でモニタリングする照明の調整状態に基づき、適正な角度にミラーの調整を行うことを可能にする。光束拡大部５を通過した光は、図１Aの照明集光制御部７の試料面と反対側の焦点位置付近で光束がクロスするようにミラーの角度制御機構３１２、３１３を調整する。ミラー３０４，３０５を介して光束拡大部５に入射するパルス光は、ここを経由しないパルス光に対して、およそパルス発光周期の1/2の時間だけ遅延するようにミラー３０５，３０６の位置を設定する。以下、レーザ光源２が１２０MHｚの周期でパルス発光する場合について述べる。このとき、光路によって遅延させる時間はおよそ4.15nsとする。これはミラー３０４，３０５を経由する光路を1.25mほど長くすることで得られ、偏光ビームスプリッタ３０２、ミラー３０４間の距離が0.62m程度になるようミラー３０４，３０５を配置する。
【００４５】
図３Ｂでは光路を２つに分岐する実施例を示したが、図３Ｃでは光路を３つに分岐する実施例を示す。図３Bと３Cの基本構成は同一であるが、パルス発光間隔を３等分するため、偏光ビームスプリッタ３０２とミラー３０４間の距離は0.83ｍに拡大し、直進する光に対して、ミラー３０４，３０５を経由する光路を通った光が5.56ns遅延するようにする。１／２波長板３０１の角度は、１／２波長板３０１以降の偏光が３５．３度程度回転、すなわち、入射する偏光に対して遅相軸が１７．６５度の角度をもつように設定する。このとき、偏光ビームスプリッタ３０２のビームスプリッタにおいて、直進する光と分岐する光の割合が２：１になる。なお、この１／２波長板３０１の回転角度は偏光ビームスプリッタ３０２で分岐される光量を制御するため、図示していない制御機構によって変更可能にしておく。λ/２板３２１は、偏光ビームスプリッタ３０２から出た直線偏光の光を４５度回転させる。λ/２板３２１にも、図示はしていないが回転角度制御機構を持たせ、偏光ビームスプリッタ３１８で分岐する２つの光路への光量の配分を変更できるようにしておく。偏光ビームスプリッタ３１８は、直進する光路とミラー３１４に分岐する光路に分岐する。ミラー３１４の方に分岐した光はミラー３１５と焦点位置補正手段３２０を介してビームスプリッタ３１９で元の光路に戻される。ミラー３１４，３１５を通る光路は2.78ns程度遅延させる必要があり、これは、この光路の長さを直進する光路に対して0.83m程度長くすることにより実現できる。機構３２２は特定の光路を通った光のみ偏光を回転させる機構であり、図３Ａの３０３とほぼ同一の構成をとる。機構３２２の詳細を図３Ｄで説明する。ここでではミラー３１４、３１５を経由しなかった光は、３０３で同一の偏光方向に揃えられているため、ミラー３１４、３１５を経由した光のみ偏光方向が異なっているため、この光路からの光のみ領域３５１を通るようにしておき、偏光方向を回転させる。領域３５１は領域350と同一の構造を持ち、領域３５１に入射される光の偏光方向と遅相軸が４５度の角度をもつように設定されている。
【００４６】
同様の拡張により、更に多くの分岐光路を設定することも可能であるが、図２で説明した検出系の帯域に対して、試料Wに照射されるパルス周期が早くなると検出が困難になる。例えば高ゲインでの微小光量検出に優れた特性をもつことで知られている光電子増倍管の場合、入手が容易なものは0.5nsから1ns程度の立ち上がり時間と、増倍管を電子が通過する走行時間数nsの遅延が発生する。特に走行時間は電子増倍管における各電子の走行経路により、時間変動が発生し、遅延光路によるパルスを分離しても、センサーの遅延により異なるパルスを弁別できなくなる恐れがある。
【００４７】
これに対応した実施例が図３Eである。直線偏光のコリメート光は偏光切り替え手段３３０によって、タイミング発生回路２３が出力する電気制御信号を切替えることにより、偏光方向を９０度交互に切り替えるようにする。偏光切り替え手段３３０は例えばポッケルスセルを用いる。特にレーザの繰り返し周波数が高く、照明光が紫外光である場合には、BBO（メタホウ酸バリウム）結晶を用いたポッケルスセルとし、制御電圧を低く抑えるため、これを２重に並べた構造として、それぞれの結晶で４５度ずつ偏光方向を変えるようにすると良い。偏光切り替え手段３３０から出射した光は偏光ビームスプリッタ３０２によって、１／２波長板３２１を配置した光路か１／２波長板３３１を配置した光路のいずれかを選択的に通るようになる。１／２波長板３３１には図示していない回転角制御機構が備えられており、ビームスプリッタ３３２によって分岐する光路への光量の配分が調整可能にしてある。ビームスプリッタ３３２を通過した光の一方はビームスプリッタ３３３に導かれ、もう一方はミラー３０４，３０５、焦点位置制御手段３０６を経由してビームスプリッタ３３３に導かれる。ビームスプリッタ３３２からミラー３０４およびミラー３０５からビームスプリッタ３３３までの距離によりパルスが遅延し、この遅延時間はレーザの発振繰り返し周期の半分とする。１２０MHｚのレーザの場合、この遅延光路の設定は図３Aの遅延光路と同じ距離、すなわち、１．２５ｍである。１／２波長板３３８−０と３３８−１は、偏光方向を９０度回転させる。ビームスプリッタ３３３に入射する光の偏光方向はそれぞれ９０度の角度をなし、この状態で偏光制御手段３３９に導かれる。偏光制御手段３３９は３０３とほぼ同一の構造により、ミラー３０５を経由する光のみ偏光を９０度回転させ、偏光ビームスプリッタ３３５に導く。
【００４８】
１／２波長板３２１は典型的には偏光を４５度回転させ、ビームスプリッタ３１８で二つの光路に光を分岐する。１／２波長板３３６は、図示していない回転制御機構を備え、分岐される光量の配分を変化できるようにしておく。ここで、偏光を９０度回転させ、ミラー３１４，３１５、焦点位置制御手段３４３を経由して偏光ビームスプリッタ３３４に導く。偏光ビームスプリッタ３３４に入射する光はそれぞれの光路で偏光方向が９０度異なるため、この後段の偏光制御手段３４０で偏光方向を揃える。偏光制御手段３４０は３０３とほぼ同一の構造を持ち、ミラー３１４，３１５を経由した光の偏光方向のみ９０度回転させ、偏光方向を揃える。偏光ビームスプリッタ３３５に導かれた光は偏光制御手段３３９からの光と偏光制御手段３４０からの光で偏光方向が９０度異なる。ミラー３４１は３０３とほぼ同一の構造をもつ偏光制御手段であり、偏光制御手段３４０を経由する光のみ偏光方向を９０度回転させる。これにより、４つの分岐光路を通過したすべての光を同一の偏光方向に揃える。ミラー３４１には光路への挿入を制御する制御機構（図示せず）を備わっており、ミラー３４１を外すと、試料Wに偏光方向が異なる照明が行われることになり、多様な欠陥への対応が可能になり、また、ミラー３４１を挿入すると同一の偏光方向が照明され、その偏光方向で散乱光が発生しやすい欠陥で微弱光を検出しやすくなる。
【００４９】
図４Ａに分割されて照明される照明の例を示す。照明スポット４０１は図３Aの構成で照明される照明スポットで、各照明スポットを異なるタイミングで分岐されたそれぞれの光路から照明する。照明スポット４０２は図３Cの構成で照明される照明スポットで、照明スポット４０３は図３Eの構成で照明される照明スポットである。回転する試料を検査する場合、試料は回転方向、すなわちθ方向に移動する。このため、照明スポットによる試料面の熱上昇を抑制するため、試料の半径方向、ｒ方向に分離して照明するようにした。照明スポット４０４は、センサーに結像検出系を用いた場合の照明の例である。結像検出系の場合、センサーの各画素の位置が固定であり、照明スポットが検出系に対して相対的に移動すると検出が困難になる。そこで、画素の並びに対して照明を直交方向に移動することが必要になる。一般には試料の回転方向であるθ方向に移動させることになる。照明スポット４０５は同時に取得する画素の並列数を３としたものであり、ｒ方向の３つの照明スポットは同時に照明され、光路の分岐によりθ方向に移動して照明がされる。同時照明する３つのスポットを分離することで、検出系の１つの画素の検出範囲を広く設定する。結像検出で焦点位置がずれると、像がぼけてしまい高い解像度のデータを取得することが困難であるが、照明スポット４０５に取得したようにスポットを分離して照射、それぞれのスポットを分離検出すれば、各スポットがセンサーの画素並びと平行に配置されずに焦点ずれが発生した場合であっても、スポット間が焦点ずれによるボケ量よりも広ければスポット間で散乱光の混入を防げるため、照明の解像度で画像を検出することが可能である。
【００５０】
照明スポット４０３に示すパルス分割光路で４分岐させた場合に試料面における照明の軌跡を図４Ｂに示す。軌跡４０６、４０７、４０８、４０９はそれぞれ、パルス分割部８で４分岐されたそれぞれの光路を通った光の試料面を通過する軌跡を示している。軌跡４１０は、すべてのパルス照明の軌跡を試料面上で示したものである。パルス分割部８は多少の温度の変化等により、軌跡４０６〜４０９の相対位置が変化し、ｒ方向の間隔は必ずしも等間隔にならず、常に相対的な位置が一定でもないが、平均的に軌跡４１０のパルス照明照射密度は、軌跡４０６〜４０９のそれに対して４倍となっている。
【００５１】
光束拡大部５は二群以上のレンズ群を有し，入射する平行光束の直径を拡大する機能を持つ。図１Ａには、凹レンズ５０１と凸レンズ５０２の組合せを備えるガリレオ型のビームエキスパンダの例を示す。光束拡大部５は二軸以上の並進ステージ(図示せず)上に設置され，所定のビーム位置と中心が一致するように位置調整が可能なように構成されている。また，光束拡大部５の光軸とパルス分割部８から偏向制御部６に至るビーム光軸が一致するように光束拡大部５全体のあおり角調整機能機構(図示せず)が備えられる。凹レンズ５０１と凸レンズ５０２の間隔を調整することにより，光束直径の拡大率を制御することが可能である（ズーム機構）。
【００５２】
光束拡大部５によるビーム径の拡大倍率は１０倍から２０倍であり、光源２から出射した径１ｍｍのビームが１０ｍｍから２０ｍｍ程度に拡大される。このとき，パルス分割部８で１つのパルスを時分割したことによって発生する各分割したパルスの光軸の傾きは逆に1/10から1/20に減少する。図４で分割する照明スポットを試料面での偏光を揃えるためには、図３Bで説明した機構３０３や図３Dの機構３２２等の偏光制御手段で各光路の光が交じわること無く空間的に分離されている必要がある。光束拡大部をパルス分割部の後段に置くことで、パルス分割部での機構３０３や機構３２２における各分割光路を出力された光の進行方向のなす角度は大きくなり、また、光のビーム径は試料面に比較して相対的に小さくなるため、偏光制御手段での各光路の光の分離を容易にする。
【００５３】
偏光制御部６は，１／２波長板６１，１／４波長板６２を備えて構成され，照明光の偏光状態を任意の偏光状態に制御する。
【００５４】
信号処理部１０５は、図１Ｃに示すように、アナログ処理部５１とデジタル処理部５２とを備えている。アナログ処理部５１について図９を用いて説明する。ここでは簡単のため複数の検出部１０２のうち検出部１０２ａ(図８の１０２ｌｓに相当)，１０２ｂ(図８の１０２ｈｓに相当)の二系統備えた場合のアナログ処理部５１の構成について説明する。検出部１０２ａ，１０２ｂ各々に備えられた検出器(図８の１０２ｌｓ及び１０２ｈｓ)から出力された信号電流５００ａ，５００ｂは，プリアンプ部５０１ａ，５０１ｂにより各々電圧に変換されて増幅される。ここで、プリアンプ部５０１ａ、５０１ｂの通過帯域はレーザ光源２の出力するパルス間隔に対して相対的に高い帯域を有することが必要である。一般的に用いられるナイキストのサンプリング定理では、エリアシングの防止のため、サンプリング周波数の1/2以下に帯域を抑制するよう、低周波数フィルタを適用することが必要であるが、本願ではこれを行うと異なる光路を通過したパルス照明の散乱光を分離できなくなる。このため、パルス分割部８での分割数をnとした場合、センサとプリアンプを結合した回路の帯域は少なくともレーザ光源２のパルス周波数のn倍程度以上に設定する。
【００５５】
該増幅されたアナログ信号は，ＡＤ変換部５０２でアナログからデジタル信号に変換される。このＡＤ変換のタイミングは各光路を通ったパルスの信号に同期するよう、図１に示したタイミング発生回路２３の発生する信号に同期してアナログデータをサンプリングする。
【００５６】
タイミング発生回路２３のブロック図を図５Ａに示す。分周器２３０１はであり、典型的には、発光タイミングモニタ手段２２の出力の２倍の周期の信号を発生し、増幅器２３０５で増幅しパルス分割部８の偏光切り替え手段３３０に出力する。なお、増幅器では機構３３０において各パルス毎に偏光が切り替えられるように、パルスの遅延量を調整できる機構を設けるようにする。位相比較器２３０２は、発光タイミングモニタ２２からの入力パルスと分周器２３０４からの出力パルス２３０４の位相のずれに応じた電圧を出力する。電圧制御発振器２３０３は、分周器２３０４からの出力電圧に応じて周波数を制御する回路である。分周器２３０４は、パルス分割部８の分岐光路数を偏光切り替え手段がある場合は２、そのほかの場合は１で除算した値分だけ分周する。例えば、分岐光路が４で偏光切り替え手段ありの場合は２倍の周期になるよう分周する。増幅器２３０６は、信号処理部１０５に転送し、デジタルデータのサンプリングタイミングの設定に用いる。なお、図１、２２や信号の転送における遅延を考慮して、タイミング信号発生部２３にはタイミングの遅延量を調整する機構を設ける。図３Eの構成に対応した本回路の入力と出力のタイミングチャートを図５Ｂに示す。入力２３−ｉは発光タイミングモニタ２２からの入力である。偏光切り替え手段３３０に出力する信号が２３−ｏ１であり、各２３−ｉの入力に対して毎回出力が切り替わるようになる。２３−ｏ２が信号処理部１０５でのサンプリングに用いる信号である。
【００５７】
次に，信号処理部１０５を構成するデジタル処理部５２について図１０を用いて説明する。本願では，パルス分割部８で分割したパルスによる照明を分離して処理することに特徴がある。ここでは，図３に示したパルス分割部によって，パルスを４分割した場合について説明する。デジタル処理部５２は、基本デジタル処理部５２０１、データ蓄積部６１２、欠陥候補データ出力部６１３を備えて構成される。
【００５８】
アナログ処理部５１からの各々の出力信号は，デジタル処理部５２において，まず記憶部６０１、６０２に蓄積され、ＦＩＦＯ形式で最初に入ったものから順次処理部に出力される。記憶部６０１には、各分岐光路からの照明による散乱光が順次出力されるため、一般的なローパスフィルタやハイパスフィルタでは、試料面で空間的に連続した領域のローパスフィルタ、ハイパスフィルタにはならない。そこで、記憶部６０１、６０２に蓄積された信号を、パルス分割部８におけるいずれの分岐光路の照明による散乱光であるかによって弁別しておき、その弁別信号毎にローパスフィルタ６０１ａ、６０１ｂ、ハイパス・フィルタ６０３a、６０３ｂをかけるようにする。最も容易な実装方法としては、分岐数が４であった場合は、蓄積されたデータのインデックスを光路の分岐数４で除算し、その余りでグルーピングして、グルーピングしたデータ毎にフィルタリングをかけることである。例えば[  ０  ４  ８  １２  ．．．]［１  ５  ９  １３．．．］［２  ６  １０  １４  ．．．］［３  ７  １１  １５．．．］といったようにシーケンシャルに入力したデータから分岐光路数の数だけ間隔を空けたデータのみのグルーピングを作成し、フィルタリングを行えば試料面における連続領域でのフィルタリングして結果を４セット実行することになる。
【００５９】
ハイパスフィルタ６０３ａ、６０３ｂの各々よりハイパスフィルターをかけて得られる欠陥信号６０４ａ，６０４ｂの各々が抽出され，欠陥一次判定部６０５に入力される。また、ローパスフィルタ６０１ａ、６０１ｂをかけて得られたローパスフィルタからの出力信号６０４ｃ，６０４ｄは、欠陥が得られた位置における背景散乱光量とみなすことができる。欠陥は照野２０によりＳ１方向に走査されるため，欠陥信号の波形は照野２０のＳ１方向の照度分布プロファイルを拡大縮小したものとなる。従って，ハイパスフィルター６０３ａ，６０３ｂの各々により，欠陥信号波形の含まれる周波数帯域を通し，ノイズが相対的に多く含まれる周波数帯域および直流成分をカットすることで，欠陥信号６０４ａ，６０４ｂのＳ／Ｎが向上する。各ハイパスフィルター６０３ａ，６０３ｂとしては，特定のカットオフ周波数を持ちその周波数以上の成分を遮断するよう設計されたハイパスフィルタ，あるいはバンドパスフィルタを用いる。典型的には、照明領域２０の形状が反映された欠陥信号の波形と相似形を成すフィルタを用いる。
【００６０】
欠陥統合部６０５は６０５−１，６０５−２よりなり、ハイパスフィルター６０４ａ，６０４ｂの各々から出力された欠陥波形を含む信号の入力に対して加算処理を行う。各検出光学系は信号強度やノイズ強度が異なるため、ノイズに対する欠陥信号強度を最大にできるよう、それぞれの入力に対して重み係数を乗じて加算ができるようにしておく。欠陥からの散乱光の分布は例えば異物やスクラッチといった欠陥種類毎に異なるため、ノイズに対して欠陥信号を最適化する重み演算は一意には決定できない。よって、６０５−１、６０５−２のように各欠陥種別に最適化した統合部を持たせる。図では２つの統合部をもたせる例を示しているが、検出すべき欠陥種が多い場合、これをさらに増加させて対応する。また、必ずしも線形和である必要はなく、欠陥統合部６０５は、ＲＢＦカーネルのＳＶＭやマハラノビス距離等のノンリニアな統合を行なっても良い。
【００６１】
ローパスフィルター６０１ａ，６０１ｂの各々において，ウェハ上の照明領域２０における微小ラフネスからの散乱光量（ヘイズ）に対応する周波数の低い成分および直流成分が出力される。このようにローパスフィルター６０１ａ，６０１ｂの各々からの出力はヘイズデータ処理部６０６に入力されてヘイズ情報の処理が行われる。即ち，ヘイズ処理部６０６は，ローパスフィルター６０１ａ，６０１ｂの各々から得られる入力信号の大きさからウェハ上の場所ごとのヘイズの大小に対応する信号をヘイズ信号として出力する。また，微小ラフネスの空間周波数分布に応じてラフネスからの散乱光量の角度分布が変わるため，図８に示したように，互いに異なる方位，角度に設置された複数の検出部１０２の各検出器からのヘイズ信号をヘイズ処理部６０６への入力とすることで，ヘイズ処理部６０６からはそれらの強度比などから微小ラフネスの空間周波数分布に関する情報を得ることができる。更にヘイズ処理部６０６は、ローバスフィルタの出力である６０４ｃ、６０４ｄに対して欠陥一次判定部６０５と同じ方式での統合も行い、記憶部６０８に転送する。このデータは後段での浮動しきい値の決定に用いる。
【００６２】
６０７、６０８は記憶部であり、記憶部６０７は６０７−１，６０７−２で構成され、ハイパスフィルタの出力を記憶する。また、記憶部６０８は６０８−１，６０８−２で構成され、ローパスフィルタの結果を記憶する。６０７−１、６０８−１はそれぞれ、６０５−１，６０６−１の結果を入力、６０７−２，６０８−２はそれぞれ、６０５−２，６０６−２の結果を入力し、入力信号をＦＩＦＯ形式で記憶する。本願の検査では試料を回転させながら照明を照射する位置をらせん状に変化させながら検査をするが、半径方向、以下ｒ方向に異なる複数回、例えば１〜１６程度の回転分をここでバッファリングできるようにする。
【００６３】
以降同様に２系統の演算が行われるが、それぞれ異なる統合部６０５−１，６０５−２の出力に対して処理するために備えている。なお、系統数が増加した場合、その系統数分増加することになる。
【００６４】
内挿補間部及び欠陥一次判定部６０９は、パルス分割部８の各分岐光路から出射したパルス照明からの散乱光毎に、図４に示したｒ方向に隣接する散乱光を、たとえばパルス照明がスポットであることを想定したガウス補間を行い、欠陥候補のピーク強度および欠陥ピーク位置を算出して、しきい値処理を行う。
【００６５】
内挿補間部６１０は、ヘイズデータ処理部６０６の出力に対して典型的には線形補間を行う。なお、線形補間以外の内挿補間、例えば、B-スプライン補間や、lanczos法を用いても良い。欠陥一次判定部６０９では、しきい値処理で欠陥を判定する。このしきい値は欠陥一次判定部６０９で算出した欠陥候補のピーク位置に対応する位置の散乱光強度６１０を求め、この散乱光強度に対するノイズ成分を推定して、欠陥一次判定部６０９にて欠陥判定を制御する。典型的には、ローパスフィルターを適用した散乱光強度の０．５乗の値に乗数をかけたものをしきい値として、ハイパスフィルタ６１０から出力された欠陥一次判定部６０９で求めた欠陥候補位置の散乱光強度と、しきい値を比較して欠陥判定を行う。ただし、装置の設置されている環境により、０．５を０．４や０．６等に変更して、感度が最大になるようなチューニングをできるようにしておく。
【００６６】
欠陥判定結果は欠陥候補データ出力部６１３に出力する。データ蓄積部６１２は、アナログ処理部５１から出力された散乱光データを記憶する。複数の検出系からのデータが入力されるため、このそれぞれを記憶し、また、パルス分割部８の異なる分岐光路では、照明位置が異なるため、どの分岐光路の照明で得たのかあとで判別できるようにして記憶する。欠陥候補データ出力部６１３は、欠陥一次判定部６０９での判定結果を入力し、いずれかの分岐光路の照明で欠陥と判定された場合、該当する位置に対応するすべての分岐光路の照明で得られた散乱光データをまとめて、蓄積部６１２にデータの転送を要求し、このデータを後処理部１０６に出力する。出力するデータは欠陥を取得した位置とその周囲のデータ５１からの入力データ、欠陥一次判定部６０９で算出した欠陥候補の位置、信号強度、判定に用いたしきい値、ローパスフィルタを適用した散乱光（背景散乱光）である。それぞれの分岐光路の照明に対応した散乱光の欠陥一次判定部６０９での欠陥一次判定結果は、異なるタイミングで二次欠陥判定部６１３に到着するが、各分岐光路からの照明に対する散乱光のうち、最後に試料面を検査するデータの判定結果を待って、後処理部１０６に出力するようにする。また、二次欠陥判定部６１３は二次欠陥判定も行う。
【００６７】
ここでは、同一の位置で欠陥候補として判定された欠陥候補の欠陥散乱光量と背景散乱光量を足しあわせ、足しあわされた欠陥散乱光量を足しあわされた背景散乱光量より推定されるノイズ量とを比較して欠陥判定を実施する。ただし、異なった分岐光路で得られた散乱光データを完全に対応付するのは一般には困難である。試料面は高速に回転するが、駆動系の振動や、試料の不均一性によって、マイクロメートルオーダで試料面が振動する試料に起因する課題と、周辺温度の変化に伴い、照明系の熱膨張、気圧の変化による空気の屈折率の変化による照明スポット位置の変化が発生するためである。そこで、二次欠陥判定部６１３は、たとえ、異なった分岐光路を通過した散乱光によって得られた欠陥候補の位置が完全に一致しなかった場合であっても、上記原因による位置ずれの可能範囲内にある場合には、これらを同一の欠陥候補として判定する。この方式は、許容範囲内にある、本来は異なる位置で検出したノイズ同士を重ねあわせ、強めてしまうという虚報増大要因になるが、これに対しては後述する後処理部１０６で実施する後処理での欠陥三次判定で虚報を除去することで対応する。また、後処理部１０６の欠陥三次判定で、この位置ずれに対応できるよう、後処理部１０６に対して、上記の原因による位置ずれの発生量を考慮し、算出された欠陥位置に対して、この最大ずれ量の範囲を加えてデータを転送する。
【００６８】
図１０でのこの処理は、パルス分割部で分岐したすべての光路からの照明に対応したデータに対して行う。フィルタリングの際に説明したのと同様に、それぞれの分岐光路は試料面の離れた位置に照明するため、欠陥一次判定部６０５、ヘイズデータ処理部６０６、記憶部６０７、記憶部６０８、欠陥一次判定部６０９、内挿補間部６１０はパルス分割部のそれぞれの光路の照明毎に実施する。
【００６９】
図１０ではパルス分割部で４系統の例について示したが、系統数を変えるだけで、２系統の場合や３系統の場合に対しても同様の構成で検査が可能となる。
【００７０】
図２（ｂ）に示す、複数画素センサーを用いた場合の構成のデジタル処理部を図１１に示す。アナログ処理部５１は複数の複数画素センサー２０８からの出力をデジタル処理部５２に転送する。デジタル処理部５２は、複数の処理ユニット５２０１−１〜５２０１−４を図示している。このユニットの数は複数画素センサ２０８の画素数をｎとした場合、適切な乗数をＭとおいた場合Ｍ（ｎ−１）＋１の個数とする。ここでＭは典型的には２であり、図１１ではこれを図示しているが、１、３、４などを設定しても良い。１１０１は内挿ユニットである。複数画素センサを用いた場合、欠陥の散乱光が２つの画素の中間に結像する場合があり、このとき、１つの画素の結果のみから欠陥を判定すると欠陥信号が２つに分離してしまい、欠陥信号を弱めてしまう。そこで、２つのセンサーにそれぞれゲインを乗じて足し合わせ出力する。処理ユニット５２０１−１〜５２０１−４は図１０で説明した処理ユニット５２０１と同様の動作を行う。
【００７１】
後処理部１０６での処理を図６に示す。まず、１０６１において、ｒ方向、θ方向のサンプリングピッチよりも高分解能で欠陥判定を行うためサブサンプリングを実施する。後処理部１０６に入力されるデータには、ｒ方向にはスパイラル状に走査することにより発生するｒ方向ピッチ、θ方向には、パルスレーザのpsオーダの発光時間に起因するサンプリングにより、離散的なデータ点列が入力されることになり、高スループットな検査が要求されるほど、サンプリングピッチが粗くなる傾向がある。パルス分割部８で４つの光路に分岐する場合には、典型的にはｒ方向、θ方向とも、はじめのピッチの１／２程度にサブサンプリングを行う。後処理部１０６からの入力データに内挿補間を行い、１／２のサブサンプリングを行う場合にはサンプリング点の中間点のデータを、B-スプライン関数やLanczos関数を適用して算出する。信号処理部１０５からは複数の検出器のデータが出力される。そこで、このサブサンプリングは、それぞれの検出器のデータ毎に実施する。
【００７２】
データの位置ずれ量検出部１０６２について、図７を用いて説明する。パルス分割部８のそれぞれ異なる光路からの照明により検出された欠陥候補７０１〜７０４は、欠陥候補データ出力部６１３の二次欠陥判定結果である。それぞれの欠陥候補は基本的には同一の検出条件で取得されているため、類似した欠陥分布となるが、検出が困難な、散乱光強度の弱い欠陥候補は、欠陥候補から散乱する光のフォトン数のばらつきにより、検出の可否がばらつく。一般に一次欠陥判定、二次欠陥判定は、最後の三次欠陥判定で正確な欠陥判定を実施するため、通常よりも低いしきい値で欠陥候補を検出するため、得られた欠陥候補にはノイズも含まれる。一般にノイズは熱雑音起因で発生するため、ノイズ７０１〜７０４の同一の座標でノイズが同時に検出されることは稀である。ただし、欠陥候補データ出力部６１３における欠陥二次判定においては、ある一定範囲を８のパルス分割部での調整状態の変動を許容するため、必ずしも同一位置にない欠陥候補のマージを実施するため、欠陥二次判定ではノイズ同士が強め合って出力をされる場合がある。
この現象を回避するには、それぞれの光路で検出された欠陥候補間のずれを最小にすることが必要である。このため、位置ずれ量検出部１０６２で異なる分岐光路で検出した、同一欠陥であることが期待される欠陥候補のずれ量を算出する。なお、基本的に欠陥候補の位置はセンサーとしてポイントセンサを用いた場合も、ラインセンサーを用いた場合でも、欠陥候補の位置は照明の位置のみで決定されるので、各検出系毎の位置ずれ量を算出する必要はない。よって、欠陥統合部６０５で線形和を算出した結果によって得られた欠陥座標のみを用いてずれ量を算出して問題がなく、また、この方法がノイズを抑制できるため、高精度な位置決めが期待できる。
まず、欠陥候補７０１〜７０４の座標において、検出限界近辺の散乱光しか得られなかった欠陥候補点と、次いで、センサーが飽和、または飽和点に近い散乱光を得た欠陥候補点をアライメントに用いる欠陥候補点から除く。検出限界近辺の散乱光しか得られなかったものは、必ずしもすべての光路からの照明で検出できているとは限らないため、ノイズとの対応をとってしまう恐れがある。また、飽和した欠陥では、欠陥位置検出精度が悪化する傾向がある。
【００７３】
第iの各分岐光路の照明がXY平面上で所定の照明位置に対して（Δｘ＿ｉ, Δｙ＿ｉ）のずれを持っているとする。本検査装置は検査対象試料を回転させながら、スパイラル状に検査を行うため、このずれをｒ−θ空間において表現する。７０５に示すようにθとｒを定義する。このとき、ある欠陥ｊ、第iの分岐光路の照明によって、ｒ−θ座標において（ｒ＿ｊ，θ＿ｊ）で検出された場合、この座標の、所定の座標位置からのずれ量は以下の式（数１、数２）で表すことができる。
【００７４】
【数１】
2015028457.tif 000003
【００７５】
【数２】
2015028457.tif 000004
【００７６】
と表される。上記の式より、ほぼ静的に一定量となることが期待される（Δｘ＿ｉ, Δｙ＿ｉ）と一致する値は（ｒ＿ｊΔθ＿ｉ, Δｒ＿ｉ）であることがわかる。そこで、いずれかの分岐光路で得られた欠陥候補位置を基準として、これ以外の分岐光路ｉの照明によって得られた欠陥候補位置（ｒ＿ｊ, θ＿ｊ）の差分、（Δｒ＿ｊ, Δθ＿ｊ）より、（Δｒ＿ｊ, ｒ＿ｊΔθ＿ｊ）を算出し、Δｒ＿ｊおよびｒ＿ｊΔθ＿ｊ頻度分布のピークの位置をそれぞれΔｙ＿ｉ、Δｘ＿ｉとして算出する。これより、欠陥候補７０１〜７０４の座標の各欠陥候補におけるずれ量をｒ−θ座標において
Δθ＿ｊ＿ｆｉｎ＝Δｘ＿ｉ／ｒ＿ｊ
Δｒ＿ｊ＿ｆｉｎ＝Δｙ＿ｉ
とする。
【００７７】
これにより、パルス分割部８で分割して照明した照明スポットの位置が比較的、短期間で変動してしまう場合においても、各ウェハ毎に照明スポットの変動をモニタし、この結果を用いて、異なる分岐光路を通った欠陥候補毎のマージ処理が可能になる。なお、図６では１０６１の後に位置ずれ量検出部１０６２を実施するとしているが、これは、逆にしても良いし、並列に実行しても良い。算出した各光路の照明位置の期待値からのずれは、次回以降の検査における、分岐光路毎の照明位置のずれの期待値として１０５で用いるようにする。
【００７８】
データマージ部１０６３は、位置ずれ量検出部１０６２で算出した位置ずれ量だけ、１０６１でサブサンプリングしたデータをずらし、１０６１のサブサンプリング位置で、データを足し合わせる。
【００７９】
データ統合部１０６４は、基本デジタル処理部５２０１内の６０５−１，６０５−２、あるいは６０６−１、６０６−２と同様の処理を行い、複数の統合結果を出力する。基本デジタル処理部５２０１ではフィルタリングの後に統合を行ったが、この構成では統合の後にフィルタリングを行なっている。これはどちらの構成をとっても、等価な処理が可能である。
【００８０】
１０６５はハイパスフィルター、１０６６はローパスフィルターであり、それぞれ、異なる統合データに対してフィルタリング処理を行う。欠陥候補ピーク位置はいずれの統合データでも原理的には同一位置になるため、欠陥候補ピーク位置算出部１０６７では、ローパスフィルタをかけた信号に対して、相対的にハイパスフィルタの結果が最も高い値を算出した統合データで欠陥ピーク位置を算出するのが高感度化のうえで有利である。なお、計算の容易化などのために、それぞれの統合データでピーク位置を求めることも可能ではある。欠陥ピーク位置は、例えば、１０６１で実施したサブサンプリングに対して、例えばガウス補間を行い、欠陥ピーク強度と欠陥ピーク位置を求める。この得られた欠陥ピーク位置をもとに、他の統合データは欠陥ピーク強度のみを求める。
【００８１】
しきい値算出部１０６８は、ローパスフィルタの出力に対して、典型的にはその平方根を算出して、これに定数を乗じた値をしきい値とするが、これ以外の方法、例えば予め定められた定数をしきい値としても良い。欠陥判定部１０６９は、各統合データに対して、ピーク強度１０６７、１０６８で算出したしきい値を比較して大きいものを欠陥と判断する欠陥判定を行い、制御部５３に転送する。制御部５３では、典型的には各統合データの判定結果のｏｒ論理で欠陥をGUIに出力、あるいはファイルにして出力するが、ユーザの入力にしたがって、特定の統合データのみのｏｒで判定、あるいはａｎｄ論理を用いて欠陥を出力できるようにしておく。
【００８２】
また、欠陥判定部はそのピーク強度より、欠陥として判定された欠陥候補に対して、そのサイズを推定して制御部５３に転送する。欠陥の光量と欠陥サイズとの対応関係は、予め、サイズが既知の欠陥サンプル、典型的にはサイズが既知の標準粒子の散乱光量をもとに求めておき、このテーブルを欠陥判定部１０６９に持たせることで出力させる。
【００８３】
欠陥の光量は微小な粒子では欠陥サイズの６乗に比例する。このため、欠陥サイズが大きくなると急激に検出する散乱光量が増大する。微小な粒子を検出するために検出器のゲインを大きく設定していると、センサの飽和が発生し、欠陥のサイズが正確に求められないことになる。この場合には、光路の分岐における割合を調整し、意図的に弱い照明の照射する光路を設定することで飽和を引き起こしにくいデータを設定するモードを設けることで対応する。例えば図３Cの構成のパルス分割部の場合、１／２波長板３０１の回転角を調整することで、偏光ビームスプリッタで分岐される光量をミラー３０４側に４６．５％、１／２波長板３２１方向に５３．３%に分割されるようにする。次いで、１／２波長板の回転角を調整することで偏光ビームスプリッタ３０７側に８７％、ミラー３１４側に１３％透過するように調整すると、各分岐光路を通過して試料に到着する光量はおよそ、46.5%, 46.5%,７%づつの配分になる。試料を回転させながらスパイラル状に照明位置を変化させたとき、各分岐光路を通過して欠陥が存在する位置近傍に照明される光強度を１２０１〜１２０３に示す。ミラー３１４を介して照明されるパルス光１２０３は、他の２つの光路を通過する光に対して１５％程度の強度と弱くなっている。すなわち、他の２つの光路を通過する光ではセンサが飽和する巨大な欠陥があったとしても、パルス光１２０３の光路を通って照明された検出では飽和をしにくくなる。この結果を統合したのが１２０４である。そこで、図６の後処理部１０６では各分割光路の光量を１０６１でサブサンプリングする際に求めておき、センサーの飽和が発生していた場合には、試料面への照明が弱い光路のデータのみを用いて１６２の１０６２以降の処理を実施する。このようにしてセンサの飽和に影響を受けること無く、欠陥のサイズを求めることが可能になる。
【００８４】
ここまでは、１回の検査において、複数の光路を介して照明した照明スポットの相対位置は定まっていることを前提に説明したが、図１に示したように、斜方から照明してスパイラル状に走査、検査する本検査方式では、試料面の上下方向の変動により照明位置が変化してしまう。本願の基本方式は、光路を分岐することで同一のタイミングで異なる位置を照明し、異なるタイミングで取得した同一の試料面位置の散乱光をマージして検査することである。よって、試料面の上下により、照明位置、すなわち検査をする箇所が変動してしまうと、後処理部１０６のデータマージ部１０６３が正確に行えなくなり、感度が想定どおりに向上できなくなる。そこで、高さセンサを備えておき、位置ずれ量を補正する。本実施例を図１３Aで説明する。照明手段７１は、典型的には白色レーザ光源であり、ｓ偏光照明を斜方から入射し、試料W上にスポットを形成する。なお、スポットではなく、ライン照明にしても良い。位置検出手段７２は、典型的には結像用のレンズセットと、その結像面に備えられたPSD（Position sensitive Device）によって構成される。なお、これをラインセンサ、あるいは二次元センサで代用しても良い。試料面上に集光した点、あるいはラインはこのセンサ上で結像される。高さ変換部７３であり、PSDの出力、またはラインセンサあるいは二次元センサの検出光量分布より、照明手段７１の照明スポットの像の位置を得て三角測量の原理でスポット位置の高さを算出し、試料面における照明部１０１のスポットのずれ量を算出、この信号を信号処理部１０５に転送する。信号処理部１０５は検出部１０２からのデータの入力と高さ変換部７３からの高さデータの入力を対応づける。信号処理部１０５では、その内部の欠陥候補データ出力部６１３においてそれぞれの分岐光路からの散乱光データを集計する際に、位置検出手段７２で算出したずれ量を補正して対応付けを行う。また、欠陥候補の特徴量と検出部１０２からのデータを後処理部１０６に転送する際に、欠陥候補の特徴量として高さ変換部７３の高さデータを含めて転送する。後処理部１０６は、位置ずれ量算出部１０６２において、各欠陥候補位置に高さデータの変化による照明スポットのずれを算出し、これに基づき、欠陥候補位置のずれを補正した後に、各分岐光路の相対的な位置ずれ量を求める。こののち、データマージ部１０６３では、それぞれの欠陥候補をその時点での高さ変化に基づく位置ずれ量だけ補正して、各分岐光路で得られた欠陥候補のデータをずらして、マージをする。
【００８５】
図１３Bは図１３Aの変形例である。図１３Aの構成とは異なり、照明手段７１を備えていない。一般に、多様な欠陥を検出するためには、試料からの散乱光をできるだけ多く検出することが必要であり、照明手段７１を備えると、検出系をこの部分に実装することが困難になる。この代わりとして、位置検出手段７２を照明部１０１の直接反射光のあたる領域に配置し、高さ検出を行う。図１４にこの構成例を示す。ここではパルス分割部において光路を２つに分岐した場合の例を示している。位置検出部７２は、照明部１０１が照明する分岐光路からの異なる位置への照明を分離して検出する必要がある。そこで、位置検出器としては応答周波数が数百MHzのものを適用する。具体的には、フォトダイオードアレイ、フォトマルアレイ、APDアレイ、MPPCアレイ等が少なくとも１次元方向に分離して、それぞれを同時に検出できる高速リニアセンサタイプのものが適用可能である。なお、ＰＳＤであったとしてもパルス発光周波数に対して十分高い帯域をもっているものであれば適用かのうである。位置検出部７２の出力は高さ変換部７４に入力される。高さ変換部７４にはＡＤ変換器を備えておき、タイミング信号発生部２３からの同期信号を入力してサンプリングし、パルス分割部８の各分岐光路からの照明毎に散乱光をグルーピングし、光を検出した位置、典型的には重心位置を算出する。重心位置より三角測量の要領で高さを算出する。高さ変換部においては、このすべてにもとづき、照明光のあたった位置の高さを求める方法と、このうちの１つ等いくつかの照明スポットのみで高さを求める方法と両方の手法を採用することができる。複数の照明スポットを処理する場合には、それぞれの高さより平均値を算出すれば、その分、誤差が小さくなる傾向があり、それよりも少ないスポットを処理する場合には処理回路の規模を小さくできるメリットがある。各ビームスポットは近接しているため、各試料面高さはほぼ一定と考えることができるため、平均化して１つの高さを算出して出力して良いが、試料面に大きな荒れや段差がある場合には、それぞれの高さを算出して出力しても良い。図１４で図示した方式はそれぞれの照明位置で高さを求める方式である。計測した結果は信号処理部１０５に出力し、図１３Aの説明と同様にして処理を行う。
【符号の説明】
【００８６】
２・・・光源    ３・・・アッテネータ    ４・・・出射光調整部    ５・・・光束拡大部    ６・・・偏光制御部    ７・・・照明集光制御部    ７ｖ・・・照明集光制御部  ８・・・パルス分割部      ２２・・・発光タイミングモニタ    ２３・・・タイミング信号発生部、３１・・・ミラー５３・・・制御部    ５４・・・表示部    ５５・・・入力部    １０１・・・照明部    １０２・・・検出部    １０３・・・ステージ部    １０５・・・信号処理部    １０６・・・後処理部
【図１Ａ】
2015028457.tif 000005
【図１Ｂ】
2015028457.tif 000006
【図１Ｃ】
2015028457.tif 000007
【図１Ｄ】
2015028457.tif 000008
【図２】
2015028457.tif 000009
【図３Ａ】
2015028457.tif 000010
【図３Ｂ】
2015028457.tif 000011
【図３Ｃ】
2015028457.tif 000012
【図３Ｄ】
2015028457.tif 000013
【図３Ｅ】
2015028457.tif 000014
【図４Ａ】
2015028457.tif 000015
【図４Ｂ】
2015028457.tif 000016
【図５Ａ】
2015028457.tif 000017
【図５Ｂ】
2015028457.tif 000018
【図６】
2015028457.tif 000019
【図７】
2015028457.tif 000020
【図８】
2015028457.tif 000021
【図９】
2015028457.tif 000022
【図１０】
2015028457.tif 000023
【図１１】
2015028457.tif 000024
【図１２】
2015028457.tif 000025
【図１３Ａ】
2015028457.tif 000026
【図１３Ｂ】
2015028457.tif 000027
【図１４】
2015028457.tif 000028